(57)【要約】【課題】  天部ひだを持たないフラットカーテン地を用いて均一なウェーブを引き出すことのできるカーテン保形体及びカーテンを提供する。【解決手段】  カーテン保形体Ｂは、フラットカーテン地１０の上縁部を補強する帯状体２０と、湾曲形状の弾性を備えた保形用プレート６０とを備え、帯状体２０が、カーテン吊り具５０を取り付ける吊り具取付部３０と、保形用プレート６０を収容するプレート収容部４０とを交互に有する。帯状体２０を、フラットカーテン地１０の上縁部に沿って縫着することによって装着し、その装着箇所で、フラットカーテン地１０の上縁部を保形用プレート６０の形状に沿わせる。【選択図】        図４
2006026319.tif 000002
【特許請求の範囲】
【請求項１】
フラットカーテン地の上縁部に沿って装着される芯地と置き換えられて上記フラットカーテン地の上縁部を補強する帯状体と、湾曲形状の弾性を備えた保形用プレートとを備え、上記帯状体が、上記保形用プレートを収容するプレート収容部を等間隔おきに有することを特徴とするカーテン保形体。
【請求項２】
上記帯状体に、カーテン吊り具が取り付けられる吊り具取付部と上記プレート収容部とが交互に並んで具備されている請求項１に記載したカーテン保形体。
【請求項３】
帯状体の上記プレート収容部が、上記保形用プレートを出入れ可能な開き口を有する袋状に形成されている請求項１又は請求項２に記載したカーテン保持体。
【請求項４】
請求項１、請求項２又は請求項３のいずれか１項に記載した帯状体が、フラットカーテン地の上縁部に沿って装着されていて、その帯状体の装着箇所で、上記フラットカーテン地の上縁部が、その帯状体の上記プレート収容部に収容された上記保形用プレートの形状に沿う湾曲形状に保形されていることを特徴とするカーテン。
【請求項５】
上記帯状体の横方向全長部分をフラットカーテン地の上縁部に沿って縫着することにより、その帯状体がフラットカーテン地の上縁部に沿って装着されている請求項４に記載したカーテン。
【発明の詳細な説明】
【技術分野】
【０００１】
本発明は、フラットカーテン地にウェーブを具備させることに用いられるカーテン保形体に関する。また、本発明は、フラットカーテン地にウェーブを形成させるための対策を講じたカーテンに関する。
【背景技術】
【０００２】
従来より、カーテンに多様のスタイルが存在することが知られている（たとえば特許文献１参照）。図７（Ａ）（Ｂ）（Ｃ）にはこの特許文献１に記述があるものを例示してある。同図（Ａ）のカーテン１では、カーテン地２の上縁部に所定の間隔を隔てて形成した天部ひだ３によってカーテン地２に下方に延びるプリーツが形成されるようにしてある。このカーテン１では、カーテン地２の上縁部に所定箇所を隔ててカーテン吊り具（不図示）が取り付けられ、そのカーテン吊り具がカーテンレール（不図示）側のランナーにつり下げられる。同図（Ｂ）のカーテン１では、フラットカーテン地４の上縁部に所定間隔ごとに鳩目加工５が施されていて、この鳩目加工５の形成箇所をカーテンレール（不図示）に挿通させることによってカーテン１が吊り下げられる。同図（Ｃ）のカーテン１では、フラットカーテン地４の上縁部に共生地で作ったタブ６を設けてあり、このタブ６をランナー（不図示）に吊り下げたりカーテンレール（不図示）に挿通させることによってカーテン１が吊り下げられる。
【０００３】
ところで、従来のカーテンスタイルの主流は、図７（Ａ）に見られるカーテン１、すなわち等間隔に天部ひだ３を取ってプリーツを形成するというプリーツタイプであったけれども、近時ではそのようなプリーツカーテンに代わるカーテンスタイルが要望されてきており、それに伴って様々なスタイルが開発されてはいるものの、プリーツカーテンに取って代わるような商品は未だ登場していないのが現状である。
【０００４】
このような現状の中で、フラットカーテンというスタイルカーテンが脚光を浴びてきている。フラットカーテンは、プリーツカーテンでは表現することのできない生地のウェーブを得やすく、鳩目加工やタブなどと組み合わせることによってカーテンに様々なアクセントを付けられるという利点をもっていて、個人の好みを自由に表現することのできるパーソナリティあふれるものである。そのため、今後は、このようなフラットカーテンが、カーテン市場でかなりの割合を占めるようになることにそれほどの時間を要しないものと予想されている。
【０００５】
そこで、フラットカーテンに均一なウェーブを形成させるために、カーテンレール側のランナーに、隣接するランナーの間隔を一定に保つための特殊なコードを取り付け、この特殊なコードの作用によりランナーのピッチが一定間隔ごとに定まるようにしたカーテンレールが提案されている。
【０００６】
【特許文献１】特開２００２−３４７７８号公報
【発明の開示】
【発明が解決しようとする課題】
【０００７】
しかしながら、均一なウェーブを持つカーテンスタイルを得たい場合に、カーテンレール側のランナーに上記した特殊なコードを取り付けるという対策を講じたものを採用すると、カーテンレールとして特殊なコードを取り付けたランナーを備えるカーテンレールを特別に用いる必要があるので、既存のカーテンだけを取り替えて均一なウェーブを形成させるということが不可能であるという問題点があった。
【０００８】
本発明はこの問題点を改善するためになされたものであり、フラットカーテン地を用いて均一なウェーブを引き出すことができるようにすることを目的とする。
【０００９】
さらに具体的には、本発明は、フラットカーテン地に取り付けるだけでそのフラットカーテン地が均一なウェーブを形成するようになるカーテン保形体を提供することを目的とする。
【００１０】
また、本発明は、上記したような特殊なコードを取り付けたランナーを備えるカーテンレールを用いることなく、均一なウェーブが引き出されるカーテンを提供することを目的とする。
【課題を解決するための手段】
【００１１】
本発明に係るカーテン保形体は、フラットカーテン地の上縁部に沿って装着される芯地と置き換えられて上記フラットカーテン地の上縁部を補強する帯状体と、湾曲形状の弾性を備えた保形用プレートとを備え、上記帯状体に、上記保形用プレートを収容するプレート収容部が等間隔おきに並んで形成されている。
【００１２】
この構成であると、帯状体をフラットカーテン地の上縁部に沿って装着し、その帯状体の所定のプレート収容部に保形用プレートを収容させておくことにより、帯状体が芯地の作用を発揮してフラットカーテン地の上縁部が適度に補強されるだけでなく、フラットカーテン地の上縁部が湾曲形状の保形用プレートによって湾曲形状に保形されるようになる。したがって、フラットカーテン地の上縁部で形作られている湾曲形状の影響がそのフラットカーテン地の下部にも及んでフラットカーテン地に下方へ延びる一直線状のウェーブが引き出され、そのようなウェーブによってフラットカーテン地の柄模様が美しく表現されるようになる。また、帯状体のプレート収容部が等間隔おきに並んで形成されていることにより、保形用プレートを収容するプレート収容部を適切に選定することによって、フラットカーテン地の上縁部での湾曲形状に保形する箇所を任意に選定することが可能になり、そうすることによって、ウェーブの形成箇所や形成ピッチを所望に応じて容易に定めることができるようになる。そして、このことによっても、フラットカーテン地の柄模様が美しく表現されるようになる。その上、当該カーテンをカーテンレールに取り付ける手段として、フック形状のカーテン吊り具のほか、鳩目加工や共生地で作ったタブを所望に応じて採用することが可能になってカーテンにアクセントを付けることが容易に可能になる。さらに、図７（Ａ）で説明したような天部ひだ３を形成してウェーブを引き出すようなものに比べると、フラットカーテン地の細かい幅調整を行なう必要がなくなってフリーサイズとして使用することができるという利便性や、天部ひだ３を形成する必要がないので、当該カーテンを開いたときの生地溜まり部分が少なくて済むといった利点もある。加えて、天部ひだ３を縫製加工する必要がなくなるために従来のプリーツカーテンに比べて縫製加工が簡単になるという利点もある。
【００１３】
本発明では、上記帯状体に、カーテン吊り具が取り付けられる吊り具取付部と上記プレート収容部とが交互に並んで形成されているという構成を採用することが可能であり、そのようにすることにより、カーテン吊り具を取り付ける箇所をフラットカーテン地に別途形成する必要がなくなる。
【００１４】
本発明では、帯状体の上記プレート収容部が、上記保形用プレートを出入れ可能な開き口を有する袋状に形成されていることが望ましい。これによれば、保形用プレートをプレート収容部に出入れする作業が容易になるので、形状の異なる保形用プレートをプレート収容部に入れ換えてウェーブの幅や深さなどを容易に変更することができるようになる。
【００１５】
次に、本発明に係るカーテンは、上記した帯状体が、フラットカーテン地の上縁部に沿って装着されていて、その帯状体の装着箇所で、上記フラットカーテン地の上縁部が、その帯状体の上記プレート収容部に収容された上記保形用プレートの形状に沿う湾曲形状に保形されている、というものである。このものにあっては、上記帯状体の横方向全長部分をフラットカーテン地の上縁部に沿って縫着することにより、その帯状体がフラットカーテン地の上縁部に沿って装着されていることが望ましい。
【００１６】
この構成を備えたカーテンは、フラットカーテン地の上縁部が芯材としての機能を発揮する帯状体によって適度に補強されているだけでなく、湾曲形状の保形用プレートによって湾曲形状に保形されたフラットカーテン地の上縁部から下方に向けて一直線状のウェーブが引き出されてフラットカーテン地の柄模様が美しく表現されるようになる。したがって、この構成によると、上記したような特殊なコードを取り付けたランナーを備えるカーテンレールを用いることなく、均一なウェーブが引き出されるカーテンを提供することを目的とする。
【発明の効果】
【００１７】
以上のように、本発明に係るカーテン保形体及びカーテンによれば、天部ひだを持たないフラットカーテン地を用いて均一なウェーブを引き出すことができる。特に、本発明に係るカーテン保形体及びカーテンでは、フラットカーテン地の上縁部を補強するための芯地の代わりに帯状体が補強作用を発揮するので、芯地をフラットカーテン地に縫着したりしておく必要がなくなる。また、フラットカーテン地のウェーブを引き出すための手段として、帯状体のプレート収容部に保形用プレートを収容するという手段を採用していることにより天部ひだを縫製する手間がなくなり、さらに、汎用的な安価なカーテンレールに吊り下げることが可能であるために、カーテンだけを取り替えてフラットカーテン地の柄模様を美しく表現させることができるようになるという利点がある。
【発明を実施するための最良の形態】
【００１８】
図１は本発明に係るカーテンＡの概略正面図、図２はカーテン保形体Ｂの装着箇所の拡大正面図、図３（Ａ）は図２のＩＩＩＡ−ＩＩＩＡ線断面図、図３（Ｂ）は図２のＩＩＩＢ−ＩＩＩＢ線断面図、図４はカーテン保形体Ｂの概略分解斜視図、図５は保形用プレート６０の概略斜視図である。
【００１９】
図１のカーテンＡにおいて、カーテン地にはフラットカーテン地１０が採用されている。そのため、カーテン地の上縁部に天部ひだが形成されていない。また、フラットカーテン地１０を採用したカーテンでは、芯地を上縁部に縫着することによってその上縁部に一定の腰の強さを具備させておくのが従来より行なわれている一般的な手法であるけれども、この実施形態では、そのような芯地を縫着するということも行なわれていない。その代わりに、フラットカーテン地１０の上縁部に沿ってカーテン保形体Ｂの帯状体２０が縫着によって装着されている。
【００２０】
カーテン保形体Ｂの帯状体２０には、上記した芯地によってフラットカーテン地の上縁部に付与される腰の強さと同程度の強度をフラットカーテン地１０に与え得る腰の強さを備えていることが要求される。そこで、この実施形態では、帯状体２０として、所定の太さ及び腰の強さを有する樹脂繊維糸を用いて形成されたメッシュ地が採用されており、帯状体２０としてそのようなメッシュ地を用いることによって、フラットカーテン地１０の生地色や柄模様が帯状体２０によって隠蔽されなくなるという利点も生じる。この利点を最大限度に生かすためには、そのメッシュ地に、透明又は乳白色の樹脂繊維糸を用いることが望ましい。なお、この帯状体２０の縦幅寸法は６〜１０ｃｍ程度に定めることが可能である。
【００２１】
図４に示したように、帯状体２０は、交互に並んで形成された吊り具取付部３０とプレート収容部４０とを備えている。すなわち、帯状体２０は、横長テープ状のベース部２１に、袋状に形成された縦長の吊り具取付部３０と、同様に袋状に形成された略矩形のプレート収容部４０とを備えていて、これらの吊り具取付部３０やプレート収容部４０は帯状体２０に縫着されている。そして、吊り具取付部３０は、その下端が開き口３１として形成されていて残りの上端及び左右の端部は閉じている。また、プレート収容部４０は袋状に形成されていて、横方向片側の端部が開き口４１として形成されているのに対し、残りの上下両端及び横方向他側の端部は閉じている。さらに、吊り具取付部３０やプレート収容部４０のそれぞれの相互間隔は一定に定められていて、任意の吊り具取付部３０に後述するカーテン吊り具５０を取り付けることができ、任意のプレート収容部４０に後述する保形用プレート６０を収容させることができるようになっている。
【００２２】
図４に帯状体２０と併せて例示したように、カーテン吊り具５０は、金属線材を折り曲げることによって形成されたものや、樹脂製成形品によって形成されていて、支持軸部５１とフック部５２とを備えている。このカーテン吊り具５０は、支持軸部５１を任意に選定した上記吊り具取付部３０にその開き口３１を通して差し込むことによって帯状体２０に取り付けられ、また、フック部５２をカーテンレール側のランナー（不図示）に係止させることによってカーテンレールから吊り下げられる。また、保形用プレート６０は、樹脂プレート、好ましくは透明の樹脂プレートでなり、袋状の上記プレート収容部４０にその開き口４１を経て収容される。
【００２３】
図５に示したように、保形用プレート６０は、湾曲形状に折れ曲がった弾性を備える樹脂プレートによって形成されており、その湾曲形状の具体例としては、たとえば、半円筒形、半楕円筒形などを掲げることができる。
【００２４】
フラットカーテン地１０の上縁部にカーテン保形体Ｂを具備するカーテンＡを製作する場合、前段階として、フラットカーテン地１０の左右両サイドの所謂三つ巻き、所謂幅つなぎ、下端部の折返しなどをあらかじめ縫製しておく。これらの縫製加工が行なわれているフラットカーテン地１０の上縁部に沿って、上記した芯地に置き換えて、カーテン保形体Ｂの帯状体２０の上下の端縁をその長さ方向全長に亘って縫着することにより、その帯状体２０をフラットカーテン地１０の上縁部に装着する。この後、カーテン吊り具５０を吊り具取付部３０に取り付け、併せて、保形用プレート６０をその軸線を縦方向にした状態でプレート収容部４０に収容する。
【００２５】
カーテン吊り具５０を取り付けるための吊り具取付部３０や、保形用プレート６０を収容させるプレート収容部４０としては、任意の吊り具取付部３０やプレート収容部４０を選択することができる。たとえば、カーテン吊り具５０を全部の吊り具取付部３０に取り付け、保形用プレート６０を全部のプレート収容部４０に収容させることができ、また、カーテン吊り具５０を任意に選択した幾つかの吊り具取付部３０に取り付け、保形用プレート６０を任意に選択した幾つかのプレート収容部４０に収容させることもできる。
【００２６】
プレート収容部４０に保形用プレート６０を収容させると、その保形用プレート６０の湾曲形状に沿ってフラットカーテン地１０の上縁部が図６のように湾曲形状の保形用プレート６０によって湾曲形状に保形される。そのため、フラットカーテン地１０の上縁部で形作られている湾曲形状の影響がそのフラットカーテン地１０の下部にも及んでフラットカーテン地に一直線状のウェーブが引き出され、そのようなウェーブによってフラットカーテン地１０の柄模様が美しく表現されるようになる。また、フラットカーテン地１０に引き出すウェーブの幅や深さは、プレート収容部４０に収容する保形用プレート６０の形状を変えることによって容易に変更することができる。
【００２７】
この実施形態では、フラットカーテン地１０を使用しているために、天部ひだ３（図７（Ａ）参照）を形成してウェーブを引き出すようにしたカーテン地に比べると、天部ひだ３の形成代を考慮する必要がないので、フラットカーテン地１０の細かい幅調整を行なう必要がなくなり、当該カーテンＡをフリーサイズとして使用することができるという利便性がある。
【００２８】
この実施形態では、当該カーテンＡをカーテンレールに取り付ける手段として、フック形状のカーテン吊り具５０を用いているけれども、この点は、帯状体２０に鳩目加工を行なってその架構箇所をカーテンレールに挿通させたり、帯状体に具備させたタブをカーテンレールに挿通させたりすることも可能であり、そのような様々な態様を選択することによってカーテンにアクセントを付けることが容易に可能である。
【図面の簡単な説明】
【００２９】
【図１】本発明に係るカーテンの概略正面図である。
【図２】カーテン保形体の装着箇所の拡大正面図である。
【図３】（Ａ）は図２のＩＩＩＡ−ＩＩＩＡ線断面図、（Ｂ）は図２のＩＩＩＢ−ＩＩＩＢ線断面図である。
【図４】カーテン保形体の概略分解斜視図である。
【図５】保形用プレートの概略斜視図である。
【図６】保形プレートの作用を説明するための概略部分平面図である。
【図７】（Ａ）従来のプリーツカーテンの概略正面図、（Ｂ）は鳩目加工を施した従来のフラットカーテンの概略正面図、（Ｃ）は共生地で作ったタブを有する従来のフラットカーテンの概略正面図である。
【符号の説明】
【００３０】
１０  フラットカーテン地
２０  帯状体
６０  保形用プレート
４０  プレート収容部
Ｂ  カーテン保形体
５０  カーテン吊り具
３０  吊り具取付部
４１  開き口
【図１】
2006026319.tif 000003
【図２】
2006026319.tif 000004
【図３】
2006026319.tif 000005
【図４】
2006026319.tif 000006
【図５】
2006026319.tif 000007
【図６】
2006026319.tif 000008
【図７】
2006026319.tif 000009